(57)【要約】【課題】顧客と店員の容易に手の届く処に入金貨幣をおいた状態で、入金貨幣を正確に計数し、店員により入力された入金金額が正しいかを確認することが容易な貨幣入金装置を提供すること。【解決手段】受け入れる貨幣の金額値等を入力する金額入力部３３と、受け入れる貨幣の画像を取得する貨幣撮影部４１と、前記貨幣撮影部４１により撮影された画像を解析し、貨幣枚数値を算出する画像処理部４２と、前記入力された金額値と前記貨幣枚数値により、入金額の妥当性確認を行う妥当性判定部３８を設ける。【選択図】図１
2007257502.tif 000002
【特許請求の範囲】
【請求項１】
受け入れる貨幣の金額値等を入力する金額入力部と、
受け入れる貨幣の画像を取得する貨幣撮影部と、
前記貨幣撮影部により撮影された画像を解析し、貨幣枚数値を算出する画像処理部と、
前記入力された金額値と前記貨幣枚数値により、入金額の妥当性確認を行う妥当性判定部を有することを特徴とする貨幣入金装置。
【請求項２】
前記妥当性判定部は、
前記貨幣枚数値に対して、金種毎の枚数の組合せのそれぞれについて合計金額値を算出し、前記入力された金額値と比較する請求項１記載の貨幣入金装置。
【請求項３】
前記妥当性判定部は、
前記入力された金額値に対して、金種毎の枚数の組合せのそれぞれについて貨幣枚数値を算出し、算出した貨幣枚数値と前記画像処理部が算出した貨幣枚数値との比較により入金額の妥当性確認を行う請求項１記載の貨幣入金装置。
【請求項４】
前記妥当性判定部は、
前記画像処理部に貨幣画像から貨幣金種および枚数を判定させ、
該貨幣金種および枚数から合計金額値を算出し、前記入金額との比較により入金額の妥当性確認を行う請求項１記載の貨幣入金装置。
【請求項５】
入金情報を表示可能な第１の表示部を設け、
少なくとも前記妥当性確認の結果を、前記第１の表示部に表示する請求項１記載の貨幣入金装置。
【請求項６】
前記貨幣撮影部が撮影した画像を記録する記憶部と、
決済情報を表示可能な第２の表示部を設け、
前記金額入力部からの操作により、前記記憶部に格納した撮影画像を前記第２の表示部に表示可能とした請求項１記載の貨幣入金装置。
【請求項７】
受け入れる貨幣の受皿を配し、
前記貨幣撮影部を前記受皿の上方に配した請求項１記載の貨幣入金装置。
【請求項８】
前記貨幣撮影部は、前記金額入力部が出力する入金金額の入力完了信号により撮影し、記録する請求項６記載の貨幣入金装置。
【発明の詳細な説明】
【技術分野】
【０００１】
本発明は、貨幣の入金処理を行う貨幣入金装置に関し、特に店員が入金金額を入力する機能を有するＰＯＳ（Ｐｏｉｎｔ  ｏｆ  Ｓａｌｅｓ）レジスタ等の貨幣入金装置に関する。
【背景技術】
【０００２】
スーパーマーケットやコンビニエンスストア等の販売店では、顧客の購入商品の登録や精算等の演算処理、演算結果の表示、顧客から代金の受取および釣銭の返却を行うが、演算結果の表示を見てから貨幣を財布から探し出して店員に手渡すので預り金受取処理が長くなるという課題があり、商品の登録処理に先行あるいは並行して行うことにより処理時間を短縮するものがある（特許文献１）。
【０００３】
顧客から受け取った金額と商品合計金額とを比較するが、店員が顧客から受け取った貨幣（現金）を確認して、その金額を入力するので入力ミスをすることがある。このような課題に対して、顧客から受け取った貨幣を取り込み、入金計数動作を行い、計数結果を表示すると共に、投入された貨幣を一時的に保管するプール部を設け、指令によりその貨幣を顧客に返却できるようにしたものがある（特許文献２）。
【０００４】
近時ではＰＯＳレーンからオペレータ（店員）をなくし、顧客操作により商品データの抽出から領収書の発行までを行うＰＯＳシステムが提案されている（特許文献３）。この無人化レジ技術によると、バーコードが読取られる商品を撮像するカメラを配し、カメラの撮像データから商品を認識することで、顧客の不正なバーコード読取行為を監視できる。
【特許文献１】特開平０６−０６０２７１号公報（段落０００１、０００４、００１５）
【特許文献２】特開平０７−１２１７６９号公報（段落０００５、０００７、図１）
【特許文献３】特開平１０−０７４２８７号公報（段落００３８〜００３９）
【発明の開示】
【発明が解決しようとする課題】
【０００５】
しかしながら、従来の入出金装置においては、顧客から店員が受け取る貨幣の中で紙幣は手にとって金種や枚数を確認するが、硬貨は店員の目算により計算される場合が多い。従って、入金金額に間違いが発生する可能性がある。また店員が金額を入力する際に操作間違いが発生する可能性もある。
【０００６】
更に、入金硬貨を取り込むことにより取引精算装置側で入金硬貨の計数を行うことができ、かつ、計数した金額を顧客が確認するということが可能であるが、例えば、計数した金額と顧客の主張する金額が一致しなかった場合、装置内に一時保管されている貨幣を取り出して、入金金額を確認することは可能であるが不信感は残る。
【０００７】
無人化レジにおけるカメラの撮像データから商品を認識することで、顧客の不正なバーコード読取行為を監視できるが、精算時に入金する代金支払いについての監視は行っていない。従って、入金した金額と顧客の主張する金額が一致しなかった場合、入金金額を確認することでできず不信感が残る。
【０００８】
このため、顧客と店員が手の届く位置に入金貨幣を置いた状態（時点）で、入金貨幣を正確に計数し、店員により入力された入金金額が正しいかを顧客も確認できることが望まれる。
本発明はこのような課題を解決するために、顧客と店員が容易に手の届く位置に入金貨幣を置いた状態で、入金貨幣を正確に計数し、店員により入力された入金金額が正しいか否かを確認することができる貨幣入金装置を提供することを目的とする。
【課題を解決するための手段】
【０００９】
上記課題を解決するために本発明の貨幣入金装置は、受け入れる貨幣の金額値等を入力する金額入力部と、受け入れる貨幣の画像を取得する貨幣撮影部と、前記貨幣撮影部により撮影された画像を解析し、貨幣枚数値を算出する画像処理部と、前記入力された金額値と前記貨幣枚数値により、入金額の妥当性確認を行う妥当性判定部を有する。
この妥当性判定部は、前記貨幣枚数値に対して、金種毎の枚数の組合せのそれぞれについて合計金額値を算出し、前記入力された金額値と比較する。
【００１０】
又は、前記入力された金額値に対して、金種毎の枚数の組合せのそれぞれについて貨幣枚数値を算出し、算出した貨幣枚数値と前記画像処理部が算出した貨幣枚数値との比較により入金額の妥当性確認を行う。
他の方法として前記妥当性判定部は、前記画像処理部に貨幣画像から貨幣金種および枚数を判定させ、該貨幣金種および枚数から合計金額値を算出し、前記入金額との比較により入金額の妥当性確認を行う。
【発明の効果】
【００１１】
本発明によれば、載置される入金貨幣（預かり金）を撮影し、画像解析を行い貨幣枚数に基づいて金種の枚数の組合せを算出し、各組合せについて合計金額を算出し、それらの合計金額の中に店員が入力した入金金額と一致するものがあるかを判定するようにしたので、入金貨幣を装置内に取り込むことなく顧客および店員が容易に手の届く位置に置いた状態で入金金額の確認をすることができる。
【００１２】
また、他の発明によれば、店員により入力された入金金額に基づいて金種の枚数の組合せを算出し、各組合せについて合計枚数を算出し、それらの合計枚数の中に、載置された入金貨幣を撮影し、画像解析を行った結果の貨幣枚数と一致するものがあるか否かで判定するようにしたので、入金貨幣を装置内に取り込むことなく顧客および店員が容易に手の届く所に置いた状態で入金金額の確認をすることができる。
【００１３】
更に、他の発明によれば、載置される入金貨幣を撮影し、画像解析を行い貨幣枚数と金種情報に基づいて合計金額を算出し、それらの合計金額とに店員が入力した入金金額と一致するかを判定するようにしたので、入金硬貨を装置内に取り込むことなく顧客および店員が容易に手の届く所に置いた状態で入金金額の確認をすることができる。
【発明を実施するための最良の形態】
【００１４】
以下、本発明の実施の形態を図面に従って説明する。図１は本発明の実施の形態の制御ブロック図であり、図２は本発明の実施の形態のＰＯＳレジスタの概念を示す斜視図で、図３はＰＯＳレジスタの制御ブロック図である。なお、各図面に共通する要素には同一の符号を付す。
ＰＯＳレジスタ１０は、販売商品登録部２０や貨幣入金装置３０、貨幣認識部４０およびサーバ５０により構成される。
ＰＯＳレジスタ１０は、店舗におけるレジ精算場に配設され、店舗を訪れた顧客が店舗で販売される商品やサービスを購入して代金の精算を行うもので、レジ係等の代金精算業務を行う店員が操作して、前記代金を商品やサービスの売上額として入力して合計売上額を集計すると共に、前記代金として顧客から受領した代金（現金）を収納する。
【００１５】
販売商品登録部２０は、店員（レジ係）が例えばテーブル（Ａ）部まで持ち込んだ商品を取り上げ、バーコードスキャナ２１により商品に付された商品コード（以下、バーコードとする）を読取り、テーブル（Ｂ）部に置く。このバーコードの読取り時にはスピーカ２２から短信音（例えば、“ピッ“）を発する。また、読取られた商品情報は、後述するサーバ５０に送信され、サーバ５０から商品情報（商品名や価格）が返信され読取表示部２３に表示される。なお、操作部２４は同一商品を多数販売する場合の数量入力や、バーコード不読やバーコード無し商品の時に店員が手入力するためのものである。
【００１６】
貨幣入金装置３０には、顧客から受け取った硬貨Ｃの金種を鑑別、計数して収納する硬貨処理部３１を有し、その硬貨Ｃを投入する硬貨入金口３１ａがある。また、顧客に釣銭として支払う硬貨Ｃを払い出す硬貨出金口３１ｂがある。同様に顧客から受け取った紙幣Ｂの金種を鑑別、計数して収納する紙幣処理部３２を有し、顧客から受け取った紙幣Ｂの格納や、顧客に釣銭として支払う紙幣Ｂを払い出す紙幣入出金口３２ａがある。
更に、店員が操作する金額入力部としての操作部３３があり、数字ボタンや金額ボタン、後述する照会操作時に使用する照会ボタンや終了ボタンを有している。
なお、各入力ボタンが押下されたことを短信音で通知する図示せぬブザーも有する。
【００１７】
３４は液晶ディスプレイ、ＬＥＤディスプレイ等からなる第１の表示部としての店員表示部であり、更に顧客に買い上げ情報として日時、通番、商品名や数量、価格、そして預かり金額や釣銭額を印刷したレシートを発行するレシート発行部３５がある。また、顧客用には、バーコードを読ませる毎にサーバ５０から商品情報（商品名や価格）を表示させるとともに、合計金額や釣銭額等の決済情報を表示する第２の表示部としての顧客表示部３６も備える。
【００１８】
貨幣認識部４０は、貨幣撮影部としてのカメラ４１、画像処理部４２、記憶部４３により構成される。
カメラ４１は、顧客と店員の間で授受される貨幣の画像を取得するもので、オートフォーカス機能を有している。このカメラ４１による撮像を画像処理部４２が解析し、後述する処理を行う。４３は記憶部であって、カメラ４１が撮影した画像を時刻情報とともに所定期間記録保存するものである。
４４は貨幣の受皿であって、レジ精算の際に顧客がこの受皿４４に受け入れる貨幣を載せることになる。なお、釣銭が生じたときに手渡し以外の手段として、この受皿４４に載せての支払いであっても良い。このカメラ４１と受皿４４は図１に示すように上下方向で対向して設けてあり、カメラ４１は下向きで受皿４４は開口部が上向きである。
【００１９】
３７は、以上の販売商品登録部２０、貨幣入金装置３０、貨幣認識部４０およびサーバ５０への通信を制御する制御部であって、演算手段であるＣＰＵ３７１、記憶手段であるメモリ３７２、インターフェースであるＩ／Ｏポート３７３を有する。なお、ＣＰＵ３７１、メモリ３７２、Ｉ／Ｏポート３７３は内部バスを介して相互に通信可能に内部で接続されている。
メモリ３７２には、読取表示部２３や店員表示部３４および顧客表示部３６に表示するメッセージ情報も格納してある。
３８は妥当性判定部であり、入金される金額と貨幣認識部４０が処理した貨幣枚数を比較して、その妥当性を判定するものである。なお、詳細は後述する。
また、ＰＯＳレジスタ１０には、上記各部に電力を供給する電源や、クレジットカード用のカードリーダ等が必要となるが、本願発明に関係しないため説明を省略する。
【００２０】
サーバ５０は、販売商品登録部２０や貨幣入金装置３０や貨幣認識部４０と通信可能に構成されると共に、商品データベース５１が接続されている。この商品データベース５１には、商品毎の商品コード（バーコード）と価格、品名、生産者情報等が格納されている。なお、このサーバ５０は、商品種目や在庫量、売上高管理などのＰＯＳシステムとしての店舗全体の商品管理も行うが、本願発明に関係しないため説明は省略する。
【００２１】
次に、妥当性判定部３８について図１により説明する。
妥当性判定部３８は、組合せ算出部３８１、組合せ金額判定部３８２、入金金額判定部３８３、金額確定部３８４により構成される。組合せ算出部３８１は、貨幣認識部４０から得た貨幣枚数情報から入金硬貨の各金種の枚数の組合せを算出する。
組合せ金額判定部３８２は、組合せ算出部３８１で算出した金種の枚数の組合せのそれぞれについて合計金額を算出する。算出した各組合せの合計金額の中に、店員が操作部３３から入力した入金金額と一致するものがあるか否かを判定する。
入金金額判定部３８３は、組合せ金額判定部３８２で操作部３３から入力された入金金額と一致するか否かの判定を行う。金額確定部３８４は、入金金額判定部３８３から入力された入金金額を確定処理する。なお、本実施の形態１における妥当性とは、貨幣枚数から算出した金額値が適切であることを言う。
【００２２】
ここで、組合せ算出部３８１の作用について、硬貨（５００円〜１円）の場合を例に説明する。
始めに、組合せ算出部３８１は、上位金額面の金種から最大枚数を算出していく。貨幣認識部４０から得た貨幣枚数で、その枚数以下の条件を満たす５００円硬貨の最大枚数を算出し、５００円硬貨が０枚の場合〜最大枚数の場合のそれぞれについて残り枚数値を算出し、５００円硬貨の枚数と残り枚数値との組合せ（第１の組合せ）を作成する。作成した第１の組合せは図示しないメモリに格納される。
続いて、５００円硬貨の枚数と残り枚数値との組合せである、第１の組合せのそれぞれについて、各組合せの残り枚数値からその枚数値以下の条件を満たす１００円硬貨の最大枚数を算出する。算出された最大枚数情報は第１の組合せの残り枚数値から、１００円硬貨が０枚の場合〜最大枚数の場合のそれぞれについて残り枚数値を算出し、１００円硬貨の枚数と残り枚数値との第２の組合せを作成する。作成した第２の組合せは第１の組合せは代えてメモリに格納する。
【００２３】
このようにして、順次、５０円硬貨の枚数と残り枚数値との第３の組合せを作成し、１０円硬貨の枚数と残り枚数値との第４の組合せを作成し、５円硬貨の枚数と残り枚数値との第５の組合せを作成し、最後に残り枚数値とした１円硬貨の枚数との第６の組合せを作成する。この第６の組合せが最終的にメモリに格納される。なお、枚数が少ないときには、組合せ数が少なくなることは言うまでもない。
【００２４】
次に第１の実施の形態の動作を説明する。
図４に示す本発明の第１の実施の形態の動作フローチャートおよび図５に示すカメラ撮像を示す説明図により、商品の購入者（顧客）が現金による支払いを行うときの処理について説明する。なお、Ｓは動作ステップを意味する。
Ｓ１. 店員はテーブル（Ａ）部まで持ち込んだ商品を取り上げ、バーコードスキャナ２１により商品に付されたバーコードを読取らせ、テーブル（Ｂ）部に置く。このバーコード読取り時にはスピーカ２２から短信音（例えば、“ピッ“）を発することで読取られたことが把握できる。また、バーコード付与面の向きが違うときや、汚損されているときには読取りできないため無反応となる。
【００２５】
Ｓ２．読取られた商品(バーコード)情報は、制御部３７からサーバ５０に送信される。サーバ５０では、受信した商品(バーコード)情報に基づいて商品データベース５１内に格納されている商品情報（商品名や価格）を検索し、その結果を返信する。
Ｓ３．商品情報を受信した制御部３７は、その商品情報を読取表示部２３及び顧客表示部３６に表示させる共に、図示しないメモリ３７２に格納する。
Ｓ４．店員は全ての商品のバーコード読取りが完了するまで動作を続ける。なお、バーコートの付与されていない商品や同一商品を多数販売する場合などには操作部２４から品目コードや価格、数量入力する。
Ｓ５．全商品の登録（読取入力）が完了すると店員は買上合計を算出すべき操作を行う。制御部３７は、店員表示部３４および顧客表示部３６に合計金額を表示させる。なお、これらの合計金額情報も個々の商品情報と共にメモリ３７２に格納される。
ここで、店員は買上金の代金支払いを求める。
【００２６】
Ｓ６．顧客は顧客表示部３６に表示された買上合計金額値を目視して、支払うべき貨幣を受皿４４の上に載置する。なお、クレジットカード等による支払いの可能性もあるが、本実施の形態例では説明を省略する。
Ｓ７．店員は受皿４４に載置された貨幣を目視し、貨幣の合計額を暗算にて求める。
Ｓ８．ステップＳ７にて、硬貨Ｃ同士の重なり等が視認されるかを判断する。紙幣Ｂや硬貨Ｃ同士の重なり等が視認される時にはステップＳ９に進め、硬貨のみであればステップＳ１０に進める。なお、紙幣Ｂや金券等が認められる場合の処理は後述する方法で対応する。
【００２７】
Ｓ９．店員は紙幣Ｂおよび硬貨Ｃの重なりを解消するように、例えば、一方の硬貨Ｃを横に移動させる。
Ｓ１０．店員は目視にて計算した預かり金額値を、口頭にて顧客に復唱（報知）すると共に、操作部３３から受け入れる貨幣の金額値（預かり金額）として入力する。
制御部３７は、操作部３３から預かり金額が入力されると、この入力操作の完了信号、例えば、預かり金額「６６６円」であれば、操作部３３の「６」,「６」,「６」ボタンに続いて押される「円」ボタンの押下信号により、貨幣認識部４０を作動させることになる。即ち、「円」ボタンの押下を入金金額の入力完了信号とする。制御部３７は、この信号により取引通番を採番して、貨幣認識部４０に送る。貨幣認識部４０では、カメラ４１による撮影が開始される。また、多量または高額硬貨等により預かり金額が１０００円以上、例えば１１６５円のときには、「１」,「１」,「６」,「５」,「円」ボタンが押されることになる。
【００２８】
Ｓ１１．貨幣認識部４０は制御部３７からの指示により受皿４４上に載置された貨幣画像を撮影する。なお、撮影にあっては、オートフォーカス機能により焦点合わせが行なわれ、その映像が取引通番を付加して記憶部４３に記録される。このときの撮像は、例えば、図５（ａ）に示すようなもので、受皿４４の一部や紙幣Ｂや硬貨Ｃが映ることになる。
Ｓ１２．画像処理部４２は、撮像から円形画像を切り出して円形画像の数量を判定する。切り出した画像は、例えば、図５（ｂ）に示すようなものとなる。この処理時には受皿４４の部分を削除して、長方形画像は紙幣Ｂとして残し別途利用しても良い。即ち、硬貨Ｃは円形であることが特徴であるので、円形画像のみ取り出すことになる。なお、これらの画像処理技術は、特開平０８−３２９３０５号公報等により周知である。
画像処理部４２は、円形画像の数量を硬貨枚数値として記憶部４３に格納すると共に制御部３７に送信する。
【００２９】
Ｓ１３．制御部３７は、妥当性判定部３８に硬貨枚数値を送信して、ステップＳ１０にて、入力した預かり金との妥当性を確認させる。
妥当性判定部３８は、図示せぬメモリに格納されている組合せ（第６の組合せ）を読み出し、すべての組合せについて合計金額を計算する。そして操作部３３から入力された入力金額と一致する金額値が、組合せの合計金額値の中に存在するか否か判定され、判定結果は制御部３７に送られる。
このときに組合せ結果が複数存在するときがあっても、硬貨の額面は無視する。例えば、５００円と１００円と５０円および1円硬貨が各１枚、５円硬貨が３枚のときには、合計7枚で６６６円となり、同じ枚数および合計金額値の組み合わせとしては５００円と１０円と５円および1円硬貨が各１枚、５０円硬貨が３枚のときがある。
【００３０】
Ｓ１４．妥当性判定部３８は処理を開始する。
まず、組合せ算出部３８１は、図１に示すように、貨幣認識部４０から得た貨幣枚数情報に基づいて預かった硬貨Ｃの各金種の枚数の組合せを算出する。続いて、組合せ金額判定部３８２が組合せ算出部３８１で算出した金種の枚数の組合せのそれぞれについて合計金額を算出する。
算出した各組合せの合計金額の中に、店員が預かり金額値を操作部３３から入力した結果である金額値と一致するものがあるか否か入金金額判定部２８３が判定する。
金額確定部３８４は、組合せ金額判定部３８２で操作部３３から入力された入金金額と一致するものがある場合に入力された入金金額を確定させる。
【００３１】
Ｓ１５．制御部３７は、妥当性判定部３８から金額確定を意味する旨の通知が送られてきた場合、店員表示部３４に照合一致を意味する表示（例えば、「照合済み」等）すると共に、預かり金額を確定する。
Ｓ１６．制御部３７は、一致すると判定された組合せが通知されてこない場合、即ち、不一致の時は、操作部３３から入力された入力金額が異常であると判定し、入力金額が異常である旨のメッセージデータをメモリ３７２より読み出して店員表示部３４に表示する。また、ブザーの長音呼動も行う。
Ｓ１７．異常のメッセージを見た店員が再度入金金額を入力し直すと、上記の処理が再度実行される。なお、硬貨Ｃの重なりがある場合には、店員自身も目算できないし、硬貨認識部４０もそれを認識できないので異常のメッセージの表示となる。
【００３２】
Ｓ１８．制御部３７は、入力された金額が確定したので、預かり金額から商品の合計金額を差し引いて釣銭の額を計算する。
釣銭額が算出された場合は、制御部３７により硬貨処理部３１内の硬貨Ｃの保有枚数から支払い可能な硬貨Ｃの金種毎の枚数を演算し、硬貨処理部３１は通知された枚数の硬貨Ｃを出金する。
Ｓ１９．制御部３７は、メモリ３７２より買い上げ情報を読み出して、レシート発行部３５でレシートの印刷指示を行う。
印刷内容としては、店舗情報以外に今回の販売を特定できる取引通番、買い上げ品目、価格、数量そして、合計金額と預かり金額、更には釣銭が生じていればその金額等を印刷することになる。なお、買い上げ品目等はバーコード読取時に品目ごとに順次印刷しておいても良いことは言うまでもない。
【００３３】
Ｓ２０．レシートと釣銭を顧客に手渡しした店員は、顧客から受け取った硬貨Ｃを、硬貨入金口３１ａから入金する。投入した硬貨Ｃは硬貨処理部３１により金種毎に金種鑑別、計数されて内部に保管される。
Ｓ２１．硬貨処理部３１が取り込んだ硬貨Ｃを鑑別し、計数した結果の合計金額が先の預かり金額と一致した場合には、制御部３７からサーバ５０に処理完了を意味する信号が発せられる。
サーバ５０では、これらの情報を店舗情報（例えば、混雑状況や売上集計皿には売れ筋商品等）として利用することができる。
【００３４】
ここで、紙幣Ｂが存在する場合の処理を説明する。
上記説明では、硬貨Ｃは円形画像であるので容易に識別できるとした。しかしながら、紙幣Ｂが存在する場合には紙幣紋様（日本国紙幣の場合では日銀印や隅にある円形模様など）を硬貨Ｃとして認識する場合がある。そこで、本発明において紙幣Ｂが存在する場合には、店員はまず、紙幣Ｂを受皿４４から抜き取り、枚数と金種を触手と目視により確認して、預かり金額の入力の際に紙幣Ｂの合計金額を入力する。例えば、１１,６６６円の預かり金の内訳として、万円券と千円券が各一枚のときには、操作部３３で「１」,「万」,「１」,「千」ボタンを押し、続いて「６」,「６」,「６」ボタン、そして「円」ボタンの押下とする。
このようにして、「円」ボタンの押下されたときには、万円券と千円券を除かれているので、硬貨Ｃのみの画像を撮影することになる。一方、入金金額判定部３８３は、１万１千円を除外しての組み合わせ判定とする。
【００３５】
更に、硬貨Ｃは円形画像としたが、図５（ｂ）に示す半影部を付した硬貨Ｃａのように一部分が重なる場合があっても、略半分以上の円形画像であれば、１個の硬貨と判定するように設定することができる。また、円形画像として「硬貨」を想定するので、外形の大きすぎるものや小さすぎるもの、例えば穴あき硬貨の小穴は除外するように設定する。
【００３６】
以上のように第１の実施の形態によれば、店員が顧客から受け取った貨幣を店員および顧客の眼前に、即ち、容易に手の届く位置に置いた状態で入力金額が確定でき、金額の入力ミスが発生した場合に入力金額の間違いを確認することが容易となる。
【００３７】
次に本発明の第２の実施の形態を説明する。
第１の実施の形態では、貨幣認識部が撮影した画像を基に貨幣枚数を判定し、預かり金額と比較照合したが、本第２の実施の形態では、預かり金額値を基に貨幣枚数を推定し貨幣認識部が解析した貨幣枚数と比較するものである。
図６は第２の実施の形態の制御ブロック図で、図７は第２の実施の形態の動作フローチャートである。図７において、ステップＳ１〜ステップＳ１０およびステップＳ１５〜ステップＳ２１は、第１の実施の形態で説明した通りであるので、ここでは省略し、異なる部分のみを説明する。
【００３８】
図６において、妥当性判定部３８ａは次ぎのように作用する。
入金金額判定部３８３ａは、店員が預かり金額値を操作部３３から入力した結果情報に基づいて、組合せ算出部３８１ａは預かった硬貨の各金種の枚数の組合せを算出する。続いて、貨幣認識部４０から得た貨幣枚数情報と組合せ算出部３８１ａで算出した金種（硬貨）の枚数を組合せ枚数判定部３８５で比較する。
金額確定部３８４は、比較した各組合せの中に、組合せ枚数判定部３８５で操作部３３から入力された入金金額と一致する枚数のものがある場合に入金金額判定部３８３から入力された入金金額を確定させる。本実施の形態２における妥当性とは、入金金額から算出した貨幣枚数が適切であることを言う。
【００３９】
図６、７を用いて、ステップ毎に説明する。
Ｓ３１．妥当性判定部３８ａの組合せ算出部３８１ａは、操作部３３から入力された入力金額から図示せぬメモリに格納されている組合せを読み出し、すべての組合せから貨幣枚数値を算出する。
Ｓ３２．貨幣認識部４０は制御部３７からの指示により受皿４４上に載置された貨幣画像を撮影する。なお、撮影にあっては、オートフォーカス機能により焦点合わせが行なわれ、その撮像が記憶部４３に格納される。このときの撮像は、例えば、図５（ａ）に示すようなもので、受皿４４の一部や紙幣Ｂや硬貨Ｃが映ることになる。画像処理部４２は、撮像から円形画像を切り出して円形画像の数量を判定する。画像処理部４２は、円形画像の数量を貨幣枚数値として記憶部４３に格納すると共に妥当性判定部３８ａに送信する。
【００４０】
Ｓ３３．組合せ枚数判定部３８５は、貨幣認識部４０から受信した貨幣枚数値が、組合せ算出部３８１ａが算出した貨幣枚数値の中に含まれているか否か判定される。
このときに組合せ枚数の結果が複数存在するときがあっても、硬貨の額面は無視する。例えば、５００円と１００円と５０円および1円硬貨が各１枚、５円硬貨が３枚のときには、合計7枚で６６６円となり、同じ枚数および合計金額値では５００円と１０円と５円および1円硬貨が各１枚、５０円硬貨が３枚のときがある。
Ｓ３４．金額確定部３８４は、組合せ枚数判定部３８５で操作部３３から入力された入金金額と一致するものがある場合に入金金額判定部３８３ａから入力された入金金額を確定させる。
このようにして、硬貨枚数の一致する組合せがあれば預かり金額を確定させる。
【００４１】
以上のように第２の実施の形態によれば、店員が顧客から受け取った硬貨を店員および顧客の眼前に、即ち、容易に手の届く位置に置いた状態で入力金額の判定を行うことができ、金額の入力ミスが発生した場合に入力金額の間違いを確認することが容易となる。
【００４２】
次に本発明の第３の実施の形態を説明する。
本第３の実施の形態は、貨幣認識部が貨幣枚数の割り出しした結果に加え、貨幣金種を判別するもので、受皿に置かれた貨幣の合計金額値まで算出して比較する。
図８は第３の実施の形態の制御ブロック図であり、妥当性判定部３８ｂは、入金金額判定部３８３ｂ、金額確定部３８４に加え、新たに貨幣金種・枚数認識部３８６を有する。
貨幣金種・枚数認識部３８６は、画像解析した結果と予め登録した硬貨画像認識辞書とを比較して、特徴一致したときに所定の正貨として認識する。これらの硬貨認識技術は、特開平６−２３６４７１号公報や特開平６−２３６４７２号公報および特開２００２−２９８１８５号公報等により周知である。
【００４３】
貨幣認識部４０は制御部３７からの指示により受皿４４上に載置された貨幣画像を撮影する。なお、撮影にあっては、オートフォーカス機能により焦点合わせが行なわれ、その撮像が記憶部４３に格納される。このときの撮像は、例えば、図５（ａ）に示すようなもので、受皿４４の一部や紙幣Ｂや硬貨Ｃが映ることになる。画像処理部４２は、撮像から円形画像を切り出して円形画像の解析を行う。画像処理部４２は、円形画像の表面又は裏面図柄から所定の認識辞書との比較を行い、硬貨金種と枚数を判定し、その結果を記憶部４３に格納すると共に妥当性判定部３８ｂに送信する。なお、図５（ｃ）には、紙幣Ｂと硬貨Ｃを解析対象とした場合を示した。
【００４４】
妥当性判定部３８ｂの金額確定部３８４は、貨幣認識部４０から受信した結果から、各金種額面と枚数を乗算し、それらの合計金額値を算出する。そして操作部３３から入力された入力金額値と比較して、一致するときには預かり金額を確定させる。なお、本実施の形態３における妥当性とは、入金金額の一致を言う。
以上のように、画像解析を行い貨幣枚数と金種に基づいて合計金額を算出し、それらの合計金額値と店員が入力した入金金額値と一致するかを判定するので、枚数から絞り込まないので組合せ辞書を不要にできる。
【００４５】
次に、第１〜第３の実施の形態において、顧客との間で現金授受に疑義が生じたときの対応について、図９に示す現金受け渡し時の映像表示のフローチャートに従って説明する。
Ｓ４１．顧客から現金授受時の貨幣確認を求められ、且つ、預かり金を装置内へ取り込んでしまった場合に、店員は操作部３３から所定の照会操作を入力する。例えば、図示しない「照会」ボタン等を押すと、制御部３７は処理を一時中断する。なお、預かり金の取り込み前であれば、その現金を両者で確認すれば、目的は達成できることは言うまでもない。
Ｓ４２．この照会操作は釣銭やレシートを返した直後までの場合と、預かり金を取り込みしてしまってからの申し立てがあり、前者の場合はステップＳ４３へ直ぐに進み、後者の場合はステップＳ４４に進める。
【００４６】
Ｓ４３．制御部３７は、釣銭やレシートを顧客に返した直後、即ち、次の顧客の買い上げ商品登録を開始していないときには、貨幣認識部４０内の記憶部４３に記憶されている現処理開始時の記録画像を読み出す。
Ｓ４４．ステップＳ４２にて、預かり金を装置内へ取り込みしてした場合には、店員は顧客からレシートの提示を求め、そのレシートを目視にて当店舗の発行媒体であることを確認し、今回の販売を特定できる取引通番を操作部３３から入力する。制御部３７は、取引通番に対応する処理開始時の記録画像を貨幣認識部４０に要求することになる。
Ｓ４５．制御部３７は、第１の表示部である店員表示部３４及び第２の表示部である顧客表示部３６に処理開始時の記録画像を表示する。店員はこの表示画像を示して、顧客とともに良否確認する。操作部３３から「終了」ボタンが押されると、制御部３７は処理を再開する。
【００４７】
以上の通り、預かり金を取り込み済みの場合には、授受した現金による確認は不可能であるが、預かり金を目視確認したときの、映像を提示できるので、顧客との間に生じた疑義を解消することができる。また、釣銭を受皿４４上に返却し、その時の状態を画像記録すれば、釣銭についての疑義も解消できる。
なお、記録画像はレジ毎および店舗の売上精算が一致終了する時点までの所定期間（例えば、日毎の締上げであれば、２４時間）を目安に保管することや、期間内に疑義連絡の入った決済にかかる画像のみ保管すればよいので記憶容量を抑えることができる。
【００４８】
次に本発明の利用形態の説明を行う。
本利用形態としては、金融機関の営業店窓口における顧客とテラー（窓口係員）との媒体授受時に画像取得するものである。図１０は金融窓口における貨幣撮影部の利用形態例を示す説明図であって、図１１は撮影対象物の一例を示す説明図である。
図において、カウンタテーブルを介して顧客とテラーが位置し、その間のカウンタ上に貨幣撮影部４０ａが配置されている。４４ａはカルトン（受皿に相当）であり、テラーが差し出すと、顧客は例えば、図示するように取引にしようする媒体Ｐや紙幣Ｂおよび硬貨幣Ｃを載せて、テラーに提出する。
【００４９】
取扱順位を管理できる受付装置を配する営業店では、テラーは顧客を呼び出す際に、受付番号に従うので、その番号に対応づけて撮影画像を記憶部４３に保管することにより、先の実施の形態で説明したような勘違いによるミスを防ぐことや、事後確認を容易にできる。また、受付装置を有しない店舗では、窓口で受付カードを手渡しするときのカード番号の入力時に撮影、記録すればよい。
【００５０】
振込や入金取引を窓口で行う場合に、現金を添えてテラーに処理を依頼するが、その際に顧客が提出した貨幣や通帳、依頼票などの画像を一時保管することにより、顧客またはテラーの勘違いによるミスを防止するものである。また、近時では窓口業務において、処理帳票の記載事項（住所や金額等）を光学読取し、画像認識するものとしてスタンド型スキャナが利用されている。このスタンド型スキャナを利用することも可能であり、過大な設備投資を行うことなく、本願の効果を奏することもできる。
【産業上の利用可能性】
【００５１】
本発明はＰＯＳレジスタなどでは一度の取り扱い硬貨枚数が最大で２０枚程度までの少量取り扱いの場合に特に有効である。また、宝くじや商品券および重要帳票提出時の記録として利用することで、店員の不正を防止することが可能となる。
【図面の簡単な説明】
【００５２】
【図１】本発明の第１の実施の形態の制御ブロック図（要部）である。
【図２】本発明のＰＯＳレジスタの概念を示す外観図である。
【図３】本発明のＰＯＳレジスタの制御ブロック図である。
【図４】本発明の第１の実施の形態の動作フローチャートである。
【図５】本発明のカメラ撮像例を示す説明図である。
【図６】本発明の第２の実施の形態の制御ブロック図（要部）である。
【図７】本発明の第２の実施の形態の動作フローチャートである。
【図８】本発明の第３の実施の形態の制御ブロック図（要部）である。
【図９】本発明の第３の実施の形態の動作フローチャートである。
【図１０】金融窓口における利用形態例を示す説明図である。
【図１１】金融窓口における撮影対象物の一例を示す説明図である。
【符号の説明】
【００５３】
１０  ＰＯＳレジスタ
２０  販売商品登録部
３０  貨幣入金装置
３３  金額入力部（操作部）
３８,３８ａ,３８ｂ  妥当性判定部
４０  貨幣認識部（カメラ）
４１  貨幣撮影部
４２  画像処理部
４３  記憶部
５０  サーバ
【図１】
2007257502.tif 000003
【図２】
2007257502.tif 000004
【図３】
2007257502.tif 000005
【図４】
2007257502.tif 000006
【図５】
2007257502.tif 000007
【図６】
2007257502.tif 000008
【図７】
2007257502.tif 000009
【図８】
2007257502.tif 000010
【図９】
2007257502.tif 000011
【図１０】
2007257502.tif 000012
【図１１】
2007257502.tif 000013